(57)【要約】  【課題】本発明は、歌唱消費カロリーによるキャラクタ表示処理方法に関し、歌唱行為による健康増進の見知からキャラクタ表示との関連性を持たせたカロリー情報を利用者側に所持させることでカラオケ施設の利用喚起、歌唱喚起を図ることを目的とする。  【解決手段】１日経過毎に仮想摂取カロリーを摂取させた保持カロリーを算出してカロリー記憶部に記憶し（Ｓ２）、カラオケ演奏装置から歌唱消費カロリーを取得したときに（Ｓ１１）、上記記憶した最新の保持カロリーから歌唱消費カロリーを減算した保持カロリーを算出してカロリー記憶部に記憶し（Ｓ１２、Ｓ１３）、最新の保持カロリーに基づきキャラクタ特定テーブルから保持カロリー範囲に対応するキャラクタレベルを取得し、当該キャラクタレベルの変化キャラクタを変化キャラクタ記憶部から表示可能に抽出する（Ｓ１４）構成とする。  【選択図】  図７
2010014750.tif 000002
【特許請求の範囲】
【請求項１】
歌唱消費カロリー算出機能を備えるカラオケ演奏装置と、端末ＩＤで特定されるパーソナル通信端末とが無線方式で通信自在とされ、上記パーソナル通信端末がカロリーに基づいて変化キャラクタを表示させるキャラクタ表示処理方法であって、
前記パーソナル通信端末には、
キャラクタを変化させる基となる保持カロリーの範囲と、その範囲に応じたキャラクタ形態のキャラクタレベルとが対応付けられて記憶されるキャラクタレベル特定テーブルと、
前記キャラクタレベル毎の変化キャラクタが記憶される変化キャラクタ記憶部と、
所定期間毎に仮想的に摂取させる仮想摂取カロリーを反映させた保持カロリー、及び、当該保持カロリーから前記カラオケ演奏装置で算出された歌唱消費カロリーを減算された歌唱後の保持カロリーが少なくとも記憶されるカロリー記憶部と、
が備えられ、
所定期間毎に仮想摂取カロリーを摂取させた保持カロリーを随時算出するステップと、
前記カラオケ演奏装置から歌唱消費カロリーを取得したときに、当該保持カロリーから当該歌唱消費カロリーを減算して歌唱後の保持カロリーを算出するステップと、
少なくとも算出された前記保持カロリーを前記カロリー記憶部に記憶するステップと、
前記記憶された保持カロリーに基づいて前記キャラクタ特定テーブルから保持カロリー範囲に対応するキャラクタレベルを取得し、当該キャラクタレベルの変化キャラクタを前記変化キャラクタ記憶部から表示可能に抽出するステップと、
を含むことを特徴とする歌唱消費カロリーによるキャラクタ表示処理方法。
【発明の詳細な説明】
【技術分野】
【０００１】
本発明は、カラオケ演奏装置と通信自在なパーソナル通信端末がカロリーに基づいて変化キャラクタを表示させる歌唱消費カロリーによるキャラクタ表示処理方法に関する。
【背景技術】
【０００２】
近年、カラオケシステムにおいては、カラオケ施設の利用喚起、歌唱喚起のためのサービスが種々提供されてきている。その中でも利用者ＩＤで関連付けられた顔写真を表示させることや、利用者の分身として作成され若しくは設定されたアバターを表示させることも行われてきている。このようなカラオケ施設の利用喚起、歌唱喚起のためのサービスとしては、利用者にさらなる興味を惹くサービスの提供が望まれる。
【０００３】
従来、カラオケ楽曲の歌唱に関連してキャラクタ表示させる技術が下記の特許文献に開示されている。特許文献１には、歌唱者毎にキャラクタに関する画像が設定され、歌唱動作に基づいて設定された曲名、歌唱回数、採点結果、応援者等の基礎データを歌唱動作毎に累積的に記録カードに格納し、複数の寄贈データ或いは各基礎データの組み合わせから少なくとも１つ以上のパラメータを設定して当該各パラメータ値に応じて異なる画像を選択的に表示させるもので、具体的には、表１に示されているように設定されたキャラクタに付加的なものを合成して表示することが開示されている。
【０００４】
【特許文献１】特開２００２−０４１０６３号公報
【発明の開示】
【発明が解決しようとする課題】
【０００５】
ところで、特許文献１に開示されているものは、表示させるキャラクタにシチュエーションなどの他の映像を付加するものであるが、キャラクタ自体が変化するものではなく、歌唱行為が健康増進に寄与するものとして歌唱が提唱され、健康増進のための歌唱行為からすれば、上記特許文献１では当該健康増進と表示されるキャラクタとの関連性を持たせた表示は専らカラオケシステムの利用時でしか確認できないという問題がある。
【０００６】
そこで、本発明は上記課題に鑑みなされたもので、歌唱行為による健康増進の見知からキャラクタ表示との関連性を持たせたカロリー情報を利用者側に所持させることでカラオケ施設の利用喚起、歌唱喚起を図る歌唱消費カロリーによるキャラクタ表示処理方法を提供することを目的とする。
【課題を解決するための手段】
【０００７】
上記課題を解決するために、請求項１の発明では、歌唱消費カロリー算出機能を備えるカラオケ演奏装置と、端末ＩＤで特定されるパーソナル通信端末とが無線方式で通信自在とされ、上記パーソナル通信端末がカロリーに基づいて変化キャラクタを表示させるキャラクタ表示処理方法であって、前記パーソナル通信端末には、キャラクタを変化させる基となる保持カロリーの範囲と、その範囲に応じたキャラクタ形態のキャラクタレベルとが対応付けられて記憶されるキャラクタレベル特定テーブルと、前記キャラクタレベル毎の変化キャラクタが記憶される変化キャラクタ記憶部と、所定期間毎に仮想的に摂取させる仮想摂取カロリーを反映させた保持カロリー、及び、当該保持カロリーから前記カラオケ演奏装置で算出された歌唱消費カロリーを減算された歌唱後の保持カロリーが少なくとも記憶されるカロリー記憶部と、が備えられ、所定期間毎に仮想摂取カロリーを摂取させた保持カロリーを随時算出するステップと、前記カラオケ演奏装置から歌唱消費カロリーを取得したときに、当該保持カロリーから当該歌唱消費カロリーを減算して歌唱後の保持カロリーを算出するステップと、少なくとも算出された前記保持カロリーを前記カロリー記憶部に記憶するステップと、前記記憶された保持カロリーに基づいて前記キャラクタ特定テーブルから保持カロリー範囲に対応するキャラクタレベルを取得し、当該キャラクタレベルの変化キャラクタを前記変化キャラクタ記憶部から表示可能に抽出するステップと、構成とする。
【発明の効果】
【０００８】
本発明によれば、歌唱消費カロリー算出機能を備えるカラオケ演奏装置と通信自在なパーソナル通信端末がカロリーに基づいて変化キャラクタを表示させるキャラクタ表示処理方法であり、所定期間毎に仮想摂取カロリーを摂取させた保持カロリーを随時算出し、カラオケ演奏装置から歌唱消費カロリーを受信したきに、当該保持カロリーから当該歌唱消費カロリーを減算して最新の保持カロリーを算出してカロリー記憶部に記憶し、上記記憶された最新の保持カロリーに基づいてキャラクタ特定テーブルから保持カロリー範囲に対応するキャラクタレベルを取得し、当該キャラクタレベルの変化キャラクタを変化キャラクタ記憶部から表示可能に抽出する構成とすることにより、歌唱行為による健康増進の見知からキャラクタ表示との関連性を持たせたカロリー情報を利用者側に所持させることから、カラオケ施設の利用喚起、歌唱喚起を図ることができるものである。
【発明を実施するための最良の形態】
【０００９】
以下、本発明の最良の実施形態を図により説明する。
図１に本発明に係る歌唱消費カロリーによるキャラクタ表示処理プログラムが搭載されるパーソナル通信端末の位置付けの概略図を示し、図２に図１のパーソナル通信端末の構成図を示し、図３に図２のキャラクタ表示に関する記憶部の説明図を示し、図４に図１における歌唱採点システムの第１実施形態に係るカラオケ演奏装置のブロック構成図を示す。
【００１０】
図１において、カラオケシステム１１は、カラオケ演奏装置１２と、端末表示部を備えて端末ＩＤで特定される単一又は複数のパーソナル通信端末１３(１３Ａ，１３Ｂ，１３Ｃ・・・）とが無線方式で通信自在とされる。
【００１１】
パーソナル通信端末１３はシステム利用者が各自所持するもので、図２に示すように、制御部２１、ＧＵＩ２２Ａを備える端末表示部２２、消費カロリー取得手段２３、変化キャラクタ対応付処理手段２４、楽曲予約手段２５、記憶部２６及び無線送受信部２７を適宜備える。記憶部２６には、キャラクタレベル特定テーブル２８、変化キャラクタ記憶部２９及びカロリー記憶部３０の記憶領域が形成される。
【００１２】
上記制御部２１は当該パーソナル通信端末を統括的に制御するもので、図示しないＲＯＭに格納されているプログラムのアルゴリズム処理を行う。当該パーソナル通信端末を特定する端末ＩＤの情報は当該制御部２１で記憶される。
【００１３】
上記端末表示部２２は、例えば液晶ディスプレイ（ＬＣＤ）であり、当該液晶ディスプレイ（ＬＣＤ）とタッチセンサとを積層して入出力用とし、表示されるアイコンや入力画面等に対応して当該タッチセンサにより楽曲の選択やフリーペン入力などのデータ群を入力することができるユーザインタフェースＧＵＩ２２Ａを備える。上記消費カロリー取得手段２３は、当該パーソナル通信端末１３の所持者が後述のカラオケ演奏装置１２に端末ＩＤを附帯させて楽曲を予約登録して歌唱したときの当該カラオケ演奏装置１２から送られてくる歌唱消費カロリー情報を取得するプログラムである。
【００１４】
相前後するが、記憶部２６のキャラクタレベル特定テーブル２８には、図３（Ａ）に示すように、保持カロリー範囲と、その範囲に応じたキャラクタ形態のキャラクタレベルが対応付けられて記憶されたものである。上記保持カロリーとは、所持者がキャラクタを設定したときからの歌唱による歌唱消費カロリーと所定期間（ここでは１日単位としている）毎に仮想的に摂取する仮想摂取カロリーとから算出されたカロリー値であり、適宜設定したカロリー範囲で割り振られる。また、キャラクタレベルとは、変化キャラクタ（図３（Ｂ）で説明する）の体重増減形態を特定するレベルであり、レベルゼロを基準としてマイナス方向とプラス方向とに段階的に設定したものである。ここでは、一例として１００Ｋｃａｌ毎の範囲でキャラクタレベルを対応付けている。
【００１５】
記憶部２６の変化キャラクタ記憶部２９には、図３（Ｂ）に示すように、変化キャラクタ（イメージデータ）が、レベル０を基準体型又は基準容姿の基本形態としてカロリーの範囲に応じてマイナス方向のキャラクタレベルに従って順次体重減形態で作成され、プラス方向のキャラクタレベルに従って順次体重増形態で作成されたものがセットとして予め記憶されるもので、これらのキャラクタレベルが上記キャラクタレベル特定テーブル２８と対応付けられるものである。この中の基本形態（レベル０）が、当該所持者が作成し、若しくは予め用意されたキャラクタ群より選択したキャラクタであるが、変化キャラクタの基本形態を作成若しくは選択するにあたり、各部（例えば、頭部、胴部、手足等）や服装などを変化キャラクタ記憶部２９に記憶させておき、利用者の組み合せで選択させるいわゆるカスタムメイドとしてもよい。
【００１６】
なお、変化キャラクタを、上記のように基本形態に対応させて複数用意する他に、特に図示しないが、座標値に応じて体重増減形態が変化する２次元データ若しくは３次元データの基本形態のみで構成してもよい。例えば、３ＤのＣＧ（コンピュータグラフィックス）として３次元のローカル座標を定義し、当該３次元のローカル座標に移動量の変数を与えることにより体重増減形態を表現することができるものである。例えばキャラクタレベル特定テーブル２８にキャラクタカロリーの所定の範囲に対応した変数レベル値を設定しておくことで実現することができる。
【００１７】
この場合、上記体重増減形態を表現するにあたっては、一方向（例えばＸ軸方向）の変数で足り、その意味では２次元データのＣＧ（３次元データの一を「０」として扱えばよい）であっても適用することができるものである。この場合のＣＧデータの体重増減形態への対応は、例えばキャラクタレベル特定テーブル２８にキャラクタカロリーの所定の範囲に対応した変数レベル値を設定しておき、３次元の座標を行列演算して変換後の座標データを求める一般的に知られているアフィン変換により実現することができる。
【００１８】
そして、記憶部２６のカロリー記憶部３０には、所持者に対応するキャラクタ変化に関連するカロリーが記録されるもので、一例として図３（Ｃ）に示すように、例えば前日の保持カロリー（前日保持カロリー）に所定期間毎に設定された仮想的に摂取するとした仮想摂取カロリーを加算した保持カロリー（Ｋｃａｌ）が算出され、当該保持カロリーから消費されるカラオケ演奏装置１２での歌唱毎の歌唱消費カロリー（Ｋｃａｌ）を減算した保持カロリー（Ｋｃａｌ）が、例えば日ごとに記録されたものである。ここでは、上述のように当該パーソナル通信端末１３の所持者が１日単位で３０Ｋｃａｌを仮想的に摂取する摂取カロリーとしている。
【００１９】
符号を戻って説明するに、上記変化キャラクタ対応付処理手段２４は、上記カロリー記憶部３０に基づいて、所定期間毎に仮想摂取カロリーを摂取させた保持カロリーを随時算出してカロリー記憶部３０に記憶し、カラオケ演奏装置１２から歌唱消費カロリーを取得したときに、カロリー記憶部３０に記憶されている最新の保持カロリーから当該歌唱消費カロリーを減算して歌唱後の保持カロリーを算出してカロリー記憶部３０に記憶し、上記記憶された最新の保持カロリーに基づいて上記キャラクタ特定テーブル２８から保持カロリー範囲に対応するキャラクタレベルを取得し、当該キャラクタレベルの変化キャラクタを上記変化キャラクタ記憶部２９から表示可能に抽出するプログラムである。
【００２０】
例えば、図３（Ｃ）の２００８年５月１１日のように、前日の前保持カロリー（２４０Ｋｃａｌ）に、歌唱する、しないに拘わらず、仮想摂取カロリーの３０Ｋｃａｌを加算して保持カロリー（２７０Ｋｃａｌ）を算出し、カラオケ演奏装置１２で歌唱した場合に、当該仮想摂取対応の保持カロリー（２７０Ｋｃａｌ）からカラオケ演奏装置１２から取得した歌唱消費カロリー（１２０Ｋｃａｌ）を減算することで歌唱後の保持カロリー（１５０Ｋｃａｌ）を算出し、キャラクタレベル特定テーブル２８の保持カロリー範囲に属するキャラクタレベル（レベル＋１）を特定し、当該レベルのキャラクタを変化キャラクタ記憶部２９より表示可能に抽出する。
【００２１】
なお、図３（Ｃ）では、当該パーソナル通信端末１３がカラオケ演奏装置１２から送られてくる歌唱消費カロリーを一旦図示しないＲＡＭ等に記憶しておき、一日分の合計の歌唱消費カロリーとして記憶する場合を示しているが、歌唱毎にカラオケ演奏装置１２から歌唱消費カロリー情報を送信させ、上記変化キャラクタ対応付処理手段２４がその都度算出して対応の変化キャラクタを表示可能に抽出させることとしてもよい。最も、当該パーソナル通信端末１３のログアウト時にカラオケ演奏装置１２から一日分の合計の歌唱消費カロリーを送信させることとして、当該合計の歌唱消費カロリーを減算した保持カロリーに応じて対応レベルの変化キャラクタを表示可能に抽出させることとしてもよい。
【００２２】
上記楽曲予約手段２５は、カラオケ演奏装置１２に対して楽曲を端末ＩＤに関連付けて予約要求するプログラムであり、例えば楽曲予約フォーマットを端末表示部２２に表示させ、例えば 曲名、アーチスト名を端末表示部２２ のＧＵＩ２２Ａより入力させてカラオケ演奏装置１２に送信する。なお、詳細は図４で説明するが、カラオケ演奏装置１２では楽曲予約受付手段（５０）が送信されてきた曲名、アーチスト名から楽曲ＩＤを特定して端末ＩＤを関連付けて予約待ち行列に登録する。また、事前にパーソナル通信端末１３に楽曲に対応する索引情報が記憶されている場合は、当該パーソナル通信端末１３上で検索された楽曲の楽曲ＩＤを直接カラオケ演奏装置１２に送信してもよい。この場合、楽曲予約受付手段（５０）は、送信されてきた楽曲ＩＤと送信したパーソナル通信端末１３の端末ＩＤを関連づけて予約待ち行列に登録する。
【００２３】
そして、上記無線送受信部２７は、カラオケ演奏装置１２に対して無線方式（ＩＥＥＥ規格（Ｗｉ−Ｆｉ、Ｗｉ−ＭＡＸ）、ＩＲ方式、ブルートゥース（登録商標）機構のピコネット接続方式など）を利用してデータ授受を行うためのもので、そのための回路基板及びプログラムを備える。
【００２４】
また、カラオケ演奏装置１２は、図４に示すように、主要装置としてのカラオケ本体３１に有線又は無線で外部接続されるものとして、表示部３２、ミキシングアンプ３３、マイク３４、スピーカ３５を備える。
【００２５】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ本体３１より送られてくる演奏音声信号と、マイク３４からの音声信号とをミキシングし、増幅してスピーカ３５より出力する。
【００２６】
カラオケ本体３１は、バス４１、中央制御部４２、ＲＯＭ４３、ＲＡＭ４４、楽曲ＤＢ４５、映像ＤＢ４６、映像再生制御部４７、音楽演奏制御部４８、通信端末登録手段４９、楽曲予約受付手段５０、歌唱消費カロリー報知手段５１及び送受信部５２を適宜備える。また、ＲＡＭ４４には、通信端末情報個別記憶部５３及び予約待ち行列５４の記憶領域が形成される。なお、上記各構成について、本発明の要旨と直接関連しない要素部分であっても、従前のカラオケ装置においても大部分が適用可能であることを示すために、装置全体を説明する。
【００２７】
上記中央制御部４２は、このシステムを統括的に処理制御する物理的なＣＰＵであり、ＲＯＭ４３に記憶されているプログラムに基づくアルゴリズム処理を行う。上記ＲＡＭ４４は、後述する通信端末情報個別記憶部５３及び予約待ち行列５４の記憶領域が形成される他に、上記種々のプログラムを展開、実行させるための作業領域としての役割をなすもので、例えば半導体メモリで構成され、仮想的にハードディスク上に構築される場合をも含む概念である。
【００２８】
上記楽曲ＤＢ４５は、楽曲毎に、音符データ及び歌詞データを格納する。演奏に関して、具体的には、楽曲ＩＤ、曲名及びアーチストＩＤ（アーチスト名）が関連付けられた楽曲テーブルを有し、楽曲毎に、楽曲ＩＤで管理される所定データ形式のカラオケ楽曲の音符データ（例えば、ＭＩＤＩ（登録商標）形式の音符データ）及び歌詞データ（歌詞テロップデータ）が同期されて構成される楽曲データ（ファイル）について楽曲コードをファイル名としてそれぞれ格納したデータベースであり、映像ＤＢ４６に格納された当該楽曲毎の背景映像を表示するための所定数のシーン映像を割り当てる割当データが関連付けられる。当該映像ＤＢ４６は、背景映像表示のための所定数のシーン映像データを所定数格納するデータベースである。
【００２９】
上記映像再生制御部４７は、演奏時に、映像ＤＢ４６より抽出された所定数のシーン映像データ及び楽曲コードで楽曲ＤＢ４５より抽出された歌詞テロップデータ（歌詞文字データ）を当該楽曲の音符データに同期させて表示部３２に出力する電子回路である。上記音楽演奏制御部４８は、楽曲コードで楽曲ＤＢ４５より抽出された音符データをデジタル出力し、アナログ変換してミキシングアンプ３３に出力する電子回路である。
【００３０】
上記通信端末登録手段４９は、カラオケ演奏装置１２を利用する利用者が所持するパーソナル通信端末１３から、ログイン処理により当該端末ＩＤを取得し、ＲＡＭ４４の通信端末情報個別記憶部５３に記憶するプログラムである。なお、このとき利用者の氏名やニックネームを入力させてＲＡＭ４４の通信端末情報個別記憶部５３に当該端末ＩＤと関連付けて記憶させてもよい。
【００３１】
上記楽曲予約受付手段５０は、所定のパーソナル通信端末１３（楽曲予約手段２５）からの端末ＩＤが附帯された楽曲の予約要求に対して、例えば曲名、アーチスト名が送信されてきたときに、これらから楽曲ＩＤを特定して端末ＩＤを関連付けてＲＡＭ４４の予約待ち行列５４に登録するプログラムであり、当該予約待ち行列５４に登録された楽曲は順番に演奏される（図５で説明する）。
【００３２】
上記歌唱消費カロリー報知手段５１は、予約待ち行列５４に登録された楽曲の歌唱に対する歌唱消費カロリー情報を、当該楽曲に関連付けられた端末ＩＤのパーソナル通信端末に送信するプログラムであり、ここでは、１曲歌唱する毎に予め定めた歌唱消費カロリー（例えば図３（Ｃ）における３０Ｋｃａｌ）としている。なお、歌唱時の実測値の歌唱消費カロリーについては図９で説明する。
【００３３】
上記送受信部５２は、各パーソナル通信端末１３に対して対応の通信方式及びプロトコルで通信自在とするための電子回路及びプログラムである。なお、図示しないが、当該カラオケ本体３１には、利用者が楽曲番号を直接入力したり、演奏楽曲のテンポや、歌唱音声に対する種々の調節をしたりするためのボタンやツマミ類が可変抵抗器等の電子素子に直結された操作パネルも接続される。
【００３４】
ここで、図５に図４における予約待ち行列の説明図を示すと共に、図６に歌唱消費カロリー情報報知の処理説明図を示す。図５（Ａ）において、例えばパーソナル通信端末１３Ａ（楽曲予約手段２５）から端末ＩＤが附帯されて例えば曲名、アーチスト名に基づいてカラオケ演奏装置１２に楽曲の予約要求がされると、楽曲予約受付手段５０が、これら曲名及びアーチスト名から楽曲ＩＤを特定して端末ＩＤを関連付けてＲＡＭ４４の予約待ち行列５４に、図５（Ｂ）に示すように予約要求順に登録する。当該予約待ち行列５４に登録された楽曲は、例えば中央制御部４２の指令により順番に演奏される。
【００３５】
そして、カラオケ演奏装置１２では、図６に示すように、予約待ち行列５４に登録された楽曲が演奏されると、当該演奏情報の当該楽曲に附帯された端末ＩＤを歌唱消費カロリー報知手段５１に送出される。当該楽曲演奏について予約者である歌唱者が歌唱を行い、当該歌唱が終了すると、歌唱消費カロリー報知手段５１が予め定めた１曲の歌唱消費カロリー（上述の３０Ｋｃａｌ）の情報（歌唱消費カロリー情報）を当該楽曲に附帯された端末ＩＤのパーソナル通信端末１３Ａに対して送信するものである。
【００３６】
そこで、図７にパーソナル通信端末による保持カロリーに基づくキャラクタ表示の処理フローチャートを示すと共に、図８に図７におけるキャラクタ表示等の説明図を示す。図７（Ａ）において、パーソナル通信端末１３Ａでは、変化キャラクタ対応付処理手段２４は、前歌唱から１日が経過していれば（ステップ（Ｓ１））、記憶部２６のカロリー記憶部３０の前日の保持カロリー値（前保持カロリー値）に、１日分として仮想摂取カロリー（３０Ｋｃａｌ）を加算して仮想摂取対応の保持カロリーとして記憶する（Ｓ２）。
【００３７】
例えば、図８（Ａ）に示すように、前日（５月１０日）の保持カロリー（２４０Ｋｃａｌ）に仮想摂取カロリー（３０Ｋｃａｌ）を加算して最新の保持カロリー（２７０Ｋｃａｌ）とする。このときの、変化キャラクタは、キャラクタレベル特定テーブル２８からレベル＋２として変化キャラクタ記憶部２９の図３（Ｂ）に示すものが特定される（図８（Ｂ）の左表示分に対応）。なお、仮想摂取カロリーの加算は１日ごとになされるものとして説明したが、２日単位、３日単位など、適宜期間を設定することができる。
【００３８】
そこで、図７（Ｂ）において、カラオケ演奏装置１２より歌唱消費カロリー情報を消費カロリー取得手段２３が取得したときに（Ｓ１１）、変化キャラクタ対応付処理手段２４がカロリー記憶部３０から上記最新の保持カロリー（２７０Ｋｃａｌ）を抽出し（Ｓ１２）、当該保持カロリー（２７０Ｋｃａｌ）からカラオケ演奏装置１２より取得した歌唱消費カロリー（１２０Ｋｃａｌ）を減算し、減算した保持カロリー（１５０Ｋｃａｌ）をカロリー記憶部３０記憶する（Ｓ１３）。そして、記憶されている最新の当該保持カロリー（１５０Ｋｃａｌ）に基づき、キャラクタレベル特定テーブル２８を参照して変化キャラクタレベル（レベル＋１）を取得し、当該レベルに対応する変化キャラクタを変化キャラクタ記憶部２９より表示可能に抽出する（Ｓ１４）。
【００３９】
そこで、パーソナル通信端末１３の所持者によるキャラクタの表示要求があったときに（Ｓ１５）、上記抽出した変化キャラクタを、図８（Ｂ）に示すように、例えば仮想摂取カロリーが加算された歌唱前の保持カロリーに対応する変化キャラクタと共に端末表示部２２で表示する（Ｓ１６）。
【００４０】
一方、Ｓ１１において、カラオケ演奏装置１２より歌唱消費カロリー情報を取得しないときには、変化キャラクタ対応付処理手段２４において、仮想摂取カロリーが反映された保持カロリー（２４０Ｋｃａｌ）が最新の保持カロリーとなる。この場合、変化キャラクタ対応付処理手段２４は、当該仮想摂取カロリーが反映された最新の保持カロリー（２４０Ｋｃａｌ）に基づいて、キャラクタレベル特定テーブル２８を参照して変化キャラクタレベル（レベル＋２）を取得し、当該レベルに対応する変化キャラクタを変化キャラクタ記憶部２９より表示可能に抽出しておき（Ｓ１４）、表示要求があったときに（Ｓ１５）、図８（Ｂ）の左側のキャラクタのみを端末表示部２２で表示させるものである（Ｓ１６）。
【００４１】
このように、歌唱行為による健康増進の見知からキャラクタ表示との関連性を持たせたカロリー情報を利用者側のパーソナル演奏端末１３Ａに所持させていつでも視認させることができ、また、例えば図８（Ａ）の２００８年５月１０日のように、歌唱しなかった場合にも仮想摂取カロリーが加算されたキャラクタを所持しているパーソナル通信端末１３Ａに表示させていつでも視認させることができるようになり、カラオケ施設の利用喚起、歌唱喚起を図ることができるものである。
【００４２】
次に、図９に図１におけるカラオケ演奏装置の歌唱消費カロリー報知に関する第２実施形態に係る説明図を示すと共に、図１０に第２実施形態のパーソナル端末におけるカロリー記憶部の一例の説明図を示す。この実施形態は、歌唱消費カロリーを歌唱の際の実測に基づいて算出する場合を示したもので、カラオケ演奏装置１２では、図９（Ａ）に示すように、さらに歌唱消費カロリー算出手段６１及びＡ／Ｄ変換部６２を備えた構成としたものである。
【００４３】
上記歌唱消費カロリー算出手段６１は、例えばマイク３４からＡ／Ｄ変換部６２を介して入力される歌唱音量を所定の時間間隔でサンプリングして逐次積算し、当該積算値を所定のアルゴリズムに従って歌唱による身体運動のカロリー消費量に換算させて歌唱消費カロリーを算出するプログラムであり、詳細な歌唱による消費カロリーの算出は、例えば、特許第３０８８７０１号公報に記載されたものが適用できる。
【００４４】
そして、図９（Ｂ）に示すように、予約待ち行列５４に登録された楽曲が演奏されると、当該演奏情報の当該楽曲に附帯された端末ＩＤを歌唱消費カロリー報知手段５１に送出される。当該楽曲演奏について予約者である歌唱者が歌唱を行い、当該歌唱が終了すると、歌唱消費カロリー算出手段６１が入力される歌唱音量に基づいて歌唱消費カロリーを算出し、当該算出した歌唱消費カロリーの情報を当該楽曲に附帯された端末ＩＤのパーソナル通信端末１３Ａに対して送信する。
【００４５】
パーソナル通信端末１３Ａでは、図７及び図８と同様な処理を行うが、この実施形態の歌唱消費カロリーとして、図１０に示すように、実測値の歌唱消費カロリー（直前の保持カロリー２５０Ｋｃａｌに対する実測の歌唱消費カロリー１７５Ｋｃａｌ）が記憶部２６のカロリー記憶部３０に記憶されるものである。
【００４６】
このように、カラオケ演奏装置１２において、歌唱消費カロリーを歌唱音量等による実測によって算出させることによって、より現実に近い増減で保持カロリーを記憶させ、また、端末表示部２２に変化キャラクタを表示させることができることから、上記同様に、歌唱行為による健康増進の見知からキャラクタ表示との関連性を持たせた現実的なカロリー情報を利用者側のパーソナル演奏端末１３Ａに所持させていつでも視認させることができるようになり、カラオケ施設の利用喚起、歌唱喚起を図ることができるものである。
【産業上の利用可能性】
【００４７】
本発明の歌唱消費カロリーによるキャラクタ表示処理方法は、カラオケシステムと通信自在なパーソナル通信端末でキャラクタを表示させるコンピュータソフトプログラムに利用可能である。
【図面の簡単な説明】
【００４８】
【図１】本発明に係る歌唱消費カロリーによるキャラクタ表示処理プログラムが搭載されるパーソナル通信端末の位置付けの概略図である。
【図２】図１のパーソナル通信端末の構成図である。
【図３】図２のキャラクタ表示に関する記憶部の説明図である。
【図４】図１における歌唱消費カロリー算出機能を備えるカラオケ演奏装置の第１実施形態に係るブロック構成図である。
【図５】図４における予約待ち行列の説明図である。
【図６】歌唱消費カロリー情報報知の処理説明図である。
【図７】パーソナル通信端末による保持カロリーに基づくキャラクタ表示の処理フローチャートである。
【図８】図７におけるキャラクタ表示等の説明図である。
【図９】図１におけるカラオケ演奏装置の歌唱消費カロリー報知に関する第２実施形態に係る説明図である。
【図１０】第２実施形態のパーソナル端末におけるカロリー記憶部の一例の説明図である。
【符号の説明】
【００４９】
１１            カラオケシステム
１２            カラオケ演奏装置
１３            パーソナル通信端末
２３            消費カロリー取得手段
２４            変化キャラクタ対応付処理手段
２６            記憶部
２８            キャラクタレベル特定テーブル
２９            変化キャラクタ記憶部
３０            カロリー記憶部
４９            通信端末登録手段
５１            歌唱消費カロリー報知手段
５４            予約待ち行列
６１            歌唱消費カロリー算出手段
【図１】
2010014750.tif 000003
【図２】
2010014750.tif 000004
【図３】
2010014750.tif 000005
【図４】
2010014750.tif 000006
【図５】
2010014750.tif 000007
【図６】
2010014750.tif 000008
【図７】
2010014750.tif 000009
【図８】
2010014750.tif 000010
【図９】
2010014750.tif 000011
【図１０】
2010014750.tif 000012